(57)【要約】【課題】  ビーム曲がりと受信感度の不均一が低減された並列同時受信用送受信音場を比較的簡単な送信方式によって形成する。【解決手段】  超音波診断装置１００の基準条件発生部２５は、非並列同時受信時における振動素子駆動パルスの遅延時間及び振幅を決定する基準遅延条件及び基準振幅条件を発生し、送信条件生成部２６は、前記基準遅延条件及び基準振幅条件に基づいて並列同時受信時における振動素子駆動パルスの遅延時間及び振幅を決定する送信遅延条件及び送信振幅条件を生成する。そして、送信部２１は、超音波プローブ３において配列された振動素子の中から素子選択部２２が選択した隣接する複数個の振動素子に対する駆動パルスの遅延時間と駆動振幅を前記送信遅延条件及び送信振幅条件に基づいて設定する。【選択図】  図１
2007068979.tif 000002
【特許請求の範囲】
【請求項１】
遅延時間及び駆動振幅の少なくとも何れかの情報を含む基準条件に基づいて複数の振動素子の各々を駆動し、被検体に対して送信音場を形成する超音波診断装置において、
前記基準条件を合成することによって得られる並列同時受信用の送信音場を形成するための送信条件を生成する送信条件生成手段と、
前記送信条件に基づいて前記振動素子を駆動し前記被検体に対して超音波を送信する送信手段と、
前記超音波の送信により前記被検体の複数方向から得られる反射波を並列同時受信する受信手段とを
備えたことを特徴とする超音波診断装置。
【請求項２】
前記送信条件生成手段は、複数の方向の各々に対応した前記基準条件を合成して前記送信条件を生成することを特徴とする請求項１記載の超音波診断装置。
【請求項３】
前記送信条件生成手段は、振動素子配列方向に対して相対的にシフトした複数の前記基準条件を合成して前記送信条件を生成することを特徴とする請求項２記載の超音波診断装置。
【請求項４】
前記送信条件生成手段は、超音波送信方向に対し所定の角度を有した複数方向の各々に対応した前記基準条件を合成して前記送信条件を生成することを特徴とする請求項２記載の超音波診断装置。
【請求項５】
前記送信条件生成手段は、並列同時受信における駆動信号の遅延時間を設定するための送信遅延条件及び前記駆動信号の振幅を設定するための送信振幅条件の少なくとも何れかを前記基準条件に基づいて生成することを特徴とする請求項１記載の超音波診断装置。
【請求項６】
基準条件発生手段を更に備え、前記基準条件発生手段は、非並列同時受信における駆動信号の遅延時間を設定するための基準遅延条件及び前記駆動信号の振幅を設定するための基準振幅条件の少なくとも何れかを発生することを特徴とする請求項１記載の超音波診断装置。
【請求項７】
前記基準条件発生手段は、Ｓｉｎｃ関数をベースとした前記基準振幅条件を発生することを特徴とする請求項６記載の超音波診断装置。
【請求項８】
前記送信手段は、前記送信条件に基づいて前記駆動信号の遅延時間を設定する送信遅延設定手段及び前記駆動信号の駆動振幅を設定する送信振幅設定手段の少なくとも何れかを備えることを特徴とする請求項１記載の超音波診断装置。
【請求項９】
前記受信手段は、前記振動素子に対する前記駆動信号の駆動によって形成される前記送信音場のビーム幅に対応させて複数の受信方向を設定することを特徴とする請求項１記載の超音波診断装置。
【請求項１０】
複数の方向の各々に対して超音波を送信するための遅延時間及び駆動振幅の少なくとも何れかの情報を含む基準条件を合成し、並列同時受信用の送信条件を生成するステップと、
前記送信条件に基づいて駆動信号を生成するステップと、
前記駆動信号によって振動素子を駆動し、被検体に対して前記並列同時受信用の送信音場を形成するステップとを
有することを特徴とする超音波送信方法。
【請求項１１】
前記送信条件の生成に先立ち、前記基準条件を発生するステップを有することを特徴とする請求項１０記載の超音波送信方法。
【請求項１２】
前記送信条件の生成は、複数の方向の各々に対応した前記基準条件を合成することによって行なわれることを特徴とする請求項１０記載の超音波送信方法。
【請求項１３】
前記送信条件の生成は、振動素子配列方向に対し相対的にシフトした複数の前記基準条件を合成することによって行なわれることを特徴とする請求項１２記載の超音波送信方法。
【請求項１４】
前記送信条件の生成は、超音波送信方向に対し所定の角度を有する複数方向の各々に対応した前記基準条件を合成することによって行なわれることを特徴とする請求項１２記載の超音波送信方法。
【請求項１５】
前記送信条件の生成は、並列同時受信における駆動信号の遅延時間を設定するための送信遅延条件及び前記駆動信号の振幅を設定するための送信振幅条件の少なくとも何れかを前記基準条件に基づいて生成することを特徴とする請求項１０記載の超音波送信方法。
【請求項１６】
前記基準条件の発生は、非並列同時受信における駆動信号の遅延時間を設定するための基準遅延条件及び前記駆動信号の振幅を設定するための基準振幅条件の少なくとも何れかを発生することを特徴とする請求項１１記載の超音波送信方法。
【請求項１７】
前記基準条件の発生は、Ｓｉｎｃ関数をベースとした前記基準振幅条件の発生であることを特徴とする請求項１６記載の超音波送信方法。
【請求項１８】
前記駆動信号の生成は、前記送信条件の前記送信遅延条件あるいは前記送信振幅条件に基づいて行なわれることを特徴とする請求項１５記載の超音波送信方法。
【請求項１９】
前記送信音場の形成は、前記送信条件に基づいて生成された前記駆動信号を用いて前記振動素子を駆動することにより行なわれることを特徴とする請求項１０記載の超音波送信方法。
【発明の詳細な説明】
【技術分野】
【０００１】
本発明は、超音波診断装置及び超音波送信方法に係り、特に、複数方向からの超音波反射波を略同時に受信する機能を有した超音波診断装置及び超音波送信方法に関する。
【背景技術】
【０００２】
超音波診断装置は、超音波プローブに内蔵された振動素子から発生する超音波を被検体内に放射し、被検体組織の音響インピーダンスの差異によって生ずる反射波を前記振動素子によって受信してモニタ上に表示するものである。この診断方法は、超音波プローブを体表に接触させるだけの簡単な操作でリアルタイムの画像データが容易に得られるため、臓器の機能診断や形態診断に広く用いられている。
【０００３】
被検体の組織あるいは血球からの反射波により生体情報を得る超音波診断法は、超音波パルス反射法と超音波ドプラ法の２つの大きな技術開発により急速な進歩を遂げ、上記技術を用いて得られるＢモード画像とカラードプラ画像は、今日の超音波診断において不可欠なものとなっている。
【０００４】
今日、最も普及している電子走査方式の超音波診断装置では、一般に複数個の振動素子を一次元に配列し、これらの振動素子の夫々に対する駆動を高速制御することによって２次元画像データのリアルタイム表示を行なっている。
【０００５】
カラードプラ画像データを生成するカラードプラ法は、パルス状の超音波によって生体内の所定断面を走査し、血液（血球）などの移動する反射体に対して超音波が照射された場合、上記反射体の速度（血流速度）に対応して生ずるドプラ周波数偏移を捉えて画像化を行なうものである。カラードプラ法は、当初、速い血流速度を有する心腔内血流情報の画像化に用いられたが、今日では、腹部臓器の組織血流など極めて遅い血流の画像化に対しても適用が可能となってきている。
【０００６】
ところで、カラードプラ法における診断能を高めるためには、優れた計測精度（低流速検出能及び高流速検出能）や時間分解能、更には、空間分解能が要求される。移動している反射体に対して超音波パルスを照射し、その反射波のドプラ周波数偏移から反射体の移動速度を計測する場合、従来は、この反射体に対する超音波の送受信を所定の送信間隔Ｔｒで複数回（Ｌ回）繰り返し、観測時間Ｔobs（Ｔobs＝Ｔｒ・Ｌ）で得られた一連の反射波に基づいてその移動速度を計測してきた。
【０００７】
この場合、低流速の反射体に対する検出能（低流速検出能：測定可能な流速の下限値）Ｖminは、上記Ｌ回の超音波送受信によって得られる一連の反射波の中からドプラ成分を検出するために用いられるフィルタ（例えば、ＭＴＩフィルタ）の特性、即ち、フィルタのカットオフ周波数と肩特性で決定される。そして、このときのＶminは、送受信繰り返し周波数（レート周波数）をｆｒ（ｆｒ＝１／Ｔｒ）とすれば、次式（１）で示される。
【数１】
2007068979.tif 000003
【０００８】
一方、測定可能な流速の上限値（高流速検出能）Ｖmaxは、送受信繰り返し周波数（レート周波数）ｆｒの１／２で定義されるナイキスト周波数によって決定され、次式（２）によって示される。但し、Ｃは被検体内の音速値、ｆｏは受信超音波の中心周波数、ξは超音波送受信方向と血流方向のなす角度である。そして、ドプラ周波数偏移が上記ナイキスト周波数を超えた場合には、ドプラ信号の周波数スペクトラムに折り返り現象が発生するため正確な血流速度の計測が不可能となる。
【数２】
2007068979.tif 000004
【０００９】
即ち、カラードプラ法における第１の要求項目である低流速検出能Ｖminを向上させるためにはレート周波数ｆｒを低く設定するか、所定方向に対して繰り返し行なう送受信回数Ｌを増加させる必要がある。又、高流速検出能Ｖmaxを向上させるためには、レート周波数ｆｒを高く設定しなくてはならない。しかしながら、レート周波数ｆｒを高くした場合には、深部からの反射波が受信されないうちに次の超音波が放射されるため、隣接したレート区間の反射波が混入して受信される、所謂残留エコーの問題が生ずる。
【００１０】
又、第２の要求項目であるリアルタイム性は、単位時間当たりの表示画像枚数（フレーム周波数）Ｆｎによって決定され、このフレーム周波数Ｆｎは次式（３）によって示される。但し、Ｎは、１枚のカラードプラ画像データの生成に必要な超音波送受信方向の総数であり、リアルタイム性を向上させるためには、送受信回数Ｌ、あるいは走査方向総数Ｎを小さく設定しなくてはならない。
【数３】
2007068979.tif 000005
【００１１】
更に、第３の要求項目である空間分解能を向上させるためには、上記超音波送受信方向総数Ｎを増加させる必要がある。即ち、フレーム周波数Ｆｎ、低流速検出能Ｖmin及び高流速検出能Ｖmax、空間分解能は相反する関係にあり、これらを同時に満足させることは困難であった。このため、循環器領域における血流計測の場合にはフレーム周波数Ｆｎと高流速検出能Ｖmaxを、又、腹部や末梢臓器における血流計測の場合にはフレーム周波数と低流速検出能Ｖminが重要視されてきた。
【００１２】
このような問題点を解決するために、所定方向に対して送信超音波を放射し、前記所定方向に隣接した複数方向から反射波（受信超音波）を略同時に受信して単位時間当たりの受信信号数を増大させる所謂並列同時受信法が提案されている（例えば、非特許文献１参照。）。
【００１３】
但し、並列同時受信において送信ビームの中心軸と受信ビームの中心軸が異なる場合には送受信感度が劣化し、更に、並列同時受信方向が３方向以上の場合には、方位方向（超音波送受信方向に対し垂直な方向）に対して均一な送受信感度を得ることが困難であった。
【００１４】
このような問題点を改善するために、超音波送信に用いる振動素子の素子数を低減する方法や、各振動素子の駆動信号振幅を配列方向に対して重み付けして送信超音波のビーム幅を広げる方法が提案されている（例えば、特許文献１参照。）。
【００１５】
一方、異なる複数の方向に対して超音波の送受信を同時に行なう方法が提案されている（例えば、特許文献２参照）。この方法では、配列された複数の振動素子を所定の遅延時間を有した駆動信号によって駆動することにより所定方向に対して送信超音波を放射する際、複数の送信方向の各々に対応した遅延時間を有する駆動信号を合成して前記振動素子に供給することにより複数方向に対する超音波送信を略同時に行なっている。
【非特許文献１】河野俊彦他、循環器用超音波診断装置のハイフレームレート化の検討、日本超音波医学会論文集、５５，７２７（１９８９）
【特許文献１】特開平３−１５５８４３号公報
【特許文献２】米国特許第５８５６９５５号明細書
【発明の開示】
【発明が解決しようとする課題】
【００１６】
特許文献１の方法によれば、超音波送受信感度の不均一性は、送信音場のビーム幅を広げることによって従来法（即ち、並列同時受信を行なわない場合と同程度の送信音場を用いた場合）より改善されるものの、収束された送信音場を用いているため受信音場に対応させてビーム幅を広げることは困難である。このため、以下に述べる送受信音場の歪（以下では、ビーム曲がりと呼ぶ。）や送受信感度における不均一の問題が依然として残存する。
【００１７】
図１４は、従来法あるいは上記特許文献１の方法の第１の問題点であるビーム曲がりについて、又、図１５は、上述の方法の第２の問題点である送受信感度の不均一について示している。
【００１８】
図１４（ａ）は、振動素子が凸面状に１次元配列されたコンベックス走査用超音波プローブを用い、所定方向（送信音場の中心軸方向）に対して超音波送信を行なった場合の送信音場（実線）とこの送信音場と重畳して形成される複数の受信音場（破線）による並列同時受信を示している。尚、この図では、説明を簡単にするために送信音場Ｂｔの端部に対応した受信音場Ｂｒ−１及びＢｒ−３と送信音場Ｂｔの中央部に位置した受信音場Ｂｒ−２のみを示している。
【００１９】
従来の並列同時受信法における送信超音波は、非並列同時受信の場合と同様にして、被検体の所定位置（深さ）に収束されており、この領域に超音波エネルギーが集中する。一方、受信超音波は、受信タイミングに対応して収束点を順次深部方向に移動させる所謂ダイナミックフォーカス法が適用され、深部方向に連続して収束された受信音場を形成することが可能となる。
【００２０】
このような場合に、超音波送受信感度は送信音場と受信音場の積（即ち、送受信音場）によって決定される。そして、図１４（ａ）に示した送信音場Ｂｔと、この送信音場Ｂｔの端部に位置する受信音場（例えば、受信音場Ｂｒ−１）によって形成される送受信音場では、収束領域における送信音場が送受信音場に特に大きな影響を及ぼす。その結果、図１４（ｂ）に示すように送信音場の中心方向にビーム曲りが発生し、このようなビーム曲がりを有した送受信音場Ｂｏ−１あるいは図示しない送受信音場Ｂｏ−３によって生成される超音波画像データにおいて画像歪が生ずる。
【００２１】
図１５（ａ）は、上記並列同時受信の方位方向における送信音場パターン、受信音場パターン及び送受信音場パターンを模式的に示したものであり、送信音場の端部における音圧は中央部より小さい。このため、同時受信方向が３方向以上設定された場合には送受信音場パターンの大きさ（即ち、送受信感度）は方位方向で不均一となり、この不均一な送受信音場によって生成される超音波画像データ上では濃淡の縞模様が発生して画質が劣化する。又、送信音場の端部における送受信感度の著しい低下は、Ｂモード画像データの画質を劣化させるのみならずカラードプラ画像データの生成における流速値や分散値等の推定を困難にする。
【００２２】
又、感度の不均一の改善を目的として図１４（ｂ）のように送信音場パターンを方位方向に広げた場合には、画像データの生成に関与しない領域に無駄な送信超音波のエネルギーが放射され、送受信感度を低下させるのみならず、サイドローブや多重反射による虚像（アーチファクト）の発生頻度が増大する。
【００２３】
即ち、ビーム曲がりや送受信感度の不均一、更には受信感度の劣化は超音波画像データの画質を劣化させ、その診断能を低下させる。
【００２４】
一方、特許文献２の方法を適用して並列同時受信用の送信音場を形成する場合、複数の送信方向の各々に対応した遅延時間を有する複数の駆動信号を合成する必要があり、送信部の回路構成が極めて複雑になるという問題点を有していた。
【００２５】
本発明は、上述の問題点に鑑みてなされたものであり、その目的は、並列同時受信における送受信音場のビーム曲りと送受信感度の不均一性の低減を簡単な回路構成で実現することにより、コストパフォーマンスに優れた超音波診断装置及び超音波送信方法を提供することにある。
【課題を解決するための手段】
【００２６】
上記課題を解決するために、請求項１に係る本発明の超音波診断装置は、遅延時間及び駆動振幅の少なくとも何れかの情報を含む基準条件に基づいて複数の振動素子の各々を駆動し、被検体に対して送信音場を形成する超音波診断装置において、前記基準条件を合成することによって得られる並列同時受信用の送信音場を形成するための送信条件を生成する送信条件生成手段と、前記送信条件に基づいて前記振動素子を駆動し前記被検体に対して超音波を送信する送信手段と、前記超音波の送信により前記被検体の複数方向から得られる反射波を並列同時受信する受信手段とを備えたことを特徴としている。
【００２７】
又、請求項１０に係る本発明の超音波送信方法は、複数の方向の各々に対して超音波を送信するための遅延時間及び駆動振幅の少なくとも何れかの情報を含む基準条件を合成し、並列同時受信用の送信条件を生成するステップと、前記送信条件に基づいて駆動信号を生成するステップと、前記駆動信号によって振動素子を駆動し、被検体に対して前記並列同時受信用の送信音場を形成するステップとを有することを特徴としている。
【発明の効果】
【００２８】
本発明によれば、並列同時受信における送受信音場のビーム曲りあるいは送受信感度の不均一性の低減が簡単な回路構成で実現可能となる。このため、リアルタイム性と画質に優れた超音波画像データの生成が可能となり、診断能が大幅に向上する。
【発明を実施するための最良の形態】
【００２９】
以下、図面を参照して本発明の実施例を説明する。
【実施例１】
【００３０】
以下に述べる本発明の第１の実施例では、凸面上に振動素子が１次元配列されたコンベックス走査用の超音波プローブを用いて並列同時受信を行なう際、隣接した複数個の振動素子で構成された送信振動素子群に対する駆動パルスの遅延時間と駆動振幅を制御することにより、方位方向において均一かつ好適なビーム幅を有する送信音場を形成する。
【００３１】
この場合、上述の送信振動素子群の各振動素子に対する駆動パルスの遅延時間及び駆動振幅を決定する送信条件（送信遅延条件及び送信振幅条件）は、前記送信振動素子群を用いて非並列同時受信を行なう際の基準条件（基準遅延条件及び基準振幅条件）に基づいて設定される。
【００３２】
（装置の構成）
以下では、本発明の実施例における超音波診断装置の構成と各ユニットの基本動作につき図１乃至図８を用いて説明する。尚、図１は、本実施例における超音波診断装置の全体構成を示すブロック図であり、図２及び図８は、この超音波診断装置を構成する送受信部及びデータ生成部のブロック図である。
【００３３】
図１に示す超音波診断装置１００は、凸面上に１次元配列された複数個（Ｍ１個）の振動素子を備え被検体に対して超音波の送受信を行なう超音波プローブ３と、Ｍ１個の振動素子の中から選択された隣接するＭ２個の振動素子（送信振動素子群）に対し駆動パルスを供給すると共に、Ｍ１個の振動素子の中から選択された隣接するＭ３個の振動素子（受信振動素子群）によって得られた受信信号に対しＭ方向並列同時受信あるいは非並列同時受信のための整相加算を行なう送受信部２と、送受信部２から得られた受信信号を信号処理してＢモードデータ及びカラードプラデータを生成するデータ生成部４と、このデータ生成部４において生成された上記データを保存して２次元のＢモード画像データ及びカラードプラ画像データを生成する画像データ生成５と、得られた画像データを表示する表示部６を備えている。
【００３４】
又、超音波診断装置１００は、送受信部２及びデータ生成部４に対して送信超音波の中心周波数と略等しい周波数の連続波あるいは矩形波を供給する基準信号発生部１と、被検体情報、装置の初期設定情報、各種コマンド信号等が操作者によって入力される入力部７と、超音波診断装置１００の各ユニットを統括的に制御するシステム制御部８を備えている。
【００３５】
超音波プローブ３は、被検体の表面に対してその前面を接触させ超音波の送受信を行なうものであり、被検体との接触面にはＭ１個の振動素子が凸状に１次元配列されている。この振動素子は電気音響変換素子であり、送信時には電気的なパルス（駆動パルス）を超音波パルス（送信超音波）に変換し、又、受信時には超音波反射波（受信超音波）を電気信号（受信信号）に変換する機能を有している。
【００３６】
次に、図２に示した送受信部２は、並列同時受信あるいは非並列同時受信における送信音場を形成するために、Ｍ１個の振動素子の中から選択された隣接するＭ２個の振動素子に対し所定の遅延時間と駆動振幅を有した駆動パルスを供給する送信部２１と、並列同時受信あるいは非並列同時受信における受信音場を形成するために、Ｍ１個の振動素子の中から選択された隣接するＭ３個の振動素子から得られた受信信号を整相加算（所定方向からの反射波に対応した受信信号の位相を一致させて加算合成）する受信部２３と、Ｍ１個の振動素子の中から送信用及び受信用の振動素子を選択し送信部２１及び受信部２３との接続を行なう素子選択部２２と、この素子選択部２２を制御する素子選択制御部２４を備え、更に、非並列同時受信における送信用の基準遅延条件及び基準振幅条件と受信用の基準遅延条件及び基準振幅条件を基準条件として発生する基準条件発生部２５と、この基準条件発生部２５が発生する基準遅延条件及び基準振幅条件に基づいて並列同時受信用の送信遅延条件及び送信振幅条件を送信条件として生成する送信条件生成部２６を備えている。
【００３７】
送信部２１は、レートパルス発生器２１１と、送信遅延回路２１２と、駆動回路２１３と、送信遅延設定部２１４と、送信振幅設定部２１５を備えている。
【００３８】
レートパルス発生器２１１は、基準信号発生部１から供給される連続波を分周することによって送信超音波の繰り返し周期を決定するレートパルスを生成する。Ｍ２チャンネルで構成される送信遅延回路２１２は、送信遅延設定部２１４から供給される遅延制御信号に基づき、送信超音波を所定距離に収束させるための送信遅延時間を前記レートパルスに与える。そして、Ｍ２チャンネルで構成される駆動回路２１３は、送信振幅設定部２１５から供給される振幅制御信号に基づき、送信遅延回路２１２において所定の遅延時間が与えられたレートパルスに同期した駆動パルスを生成する。
【００３９】
一方、送信遅延設定部２１４は、送受信部２の送信条件生成部２６が生成する送信遅延条件に基づいて、送信遅延回路２１２における送信遅延時間を設定する。同様にして、送信振幅設定部２１５は、前記送信条件生成部２６が生成した送信振幅条件に基づいて、駆動回路２１３における駆動振幅を設定する。
【００４０】
次に、受信部２３は、Ｍ３チャンネルから構成されるプリアンプ２３１及びＡ／Ｄ変換器２３２と、チャンネル選択回路２３３と、Ｍチャンネルのビームフォーマ２３４−１乃至２３４−Ｍを備えている。プリアンプ２３１は、素子選択部２２から供給されるＭ３チャンネルの受信信号を増幅して十分なＳ／Ｎを確保するためのものであり、その初段部には、送信部２１の駆動回路２１３において発生する高電圧の駆動パルスから保護するための図示しないリミッタ回路が設けられている。
【００４１】
チャンネル選択回路２３３は、Ｍ方向の並列同時受信を行なうためにＭ３チャンネルの中の隣接したＭ４チャンネル（Ｍ４＜Ｍ３）をＭ箇所で選択し、Ｍ４チャンネルから構成されるＭ個の受信信号群をビームフォーマ２３４−１乃至２３４−Ｍに供給する。
【００４２】
一方、ビームフォーマ２３４−１乃至２３４−Ｍの各々は、図示しない遅延回路と加算回路を有し、チャンネル選択回路２３３で選択されたＭ４チャンネルの受信信号に対し、所定の深さからの受信超音波を収束するための遅延時間と所定の信号振幅を与えた後加算合成（整相加算）する。
【００４３】
この場合の遅延時間及び信号振幅は、受信部２３の受信遅延／振幅設定部２３５から供給される遅延制御信号及び振幅制御信号に基づいて設定される。但し、ビームフォーマ２３４−１乃至２３４−Ｍでは、受信タイミングに伴って収束領域が深部に順次更新される所謂ダイナミックフォーカスのための遅延時間が与えられ、深さによらずに略均一なビーム幅を有した受信音場が形成される。
【００４４】
そして、受信遅延／振幅設定部２３５は、送受信部２の基準条件発生部２５が発生した受信用の基準遅延条件及び基準振幅条件に基づいて、ビームフォーマ２３４−１乃至２３４−Ｍにおける遅延時間と信号振幅を設定する。
【００４５】
次に、送受信部２の素子選択部２２は、素子選択制御部２４から供給される素子選択制御信号に基づき、送信時には、超音波プローブ３に備えられたＭ１個の振動素子の中から隣接したＭ２個の振動素子を送信振動素子群として選択する。又、受信時には、前記Ｍ１個の振動素子の中から隣接したＭ３個の振動素子を受信振動素子群として選択する。この場合、送信振動素子群の中心位置と受信振動素子群の中心位置は略一致するように振動素子の選択が行なわれる。
【００４６】
一方、素子選択制御部２４は、システム制御部８から供給される走査制御信号に基づいて、Ｍ２個の振動素子からなる送信振動素子群及びＭ３個の振動素子からなる受信振動素子群をレート周期で選択するための素子選択制御信号を素子選択部２２に供給する。
【００４７】
素子選択部２２による送信振動素子群及び受信振動素子群の選択と、チャンネル選択回路２３３によるＭチャンネルの受信信号群の選択につき図３を用いて説明する。
【００４８】
図３は、隣接したＭ方向に対して並列同時受信を行なう際の送信振動素子群及び受信振動素子群の選択方法を模式的に示したものであり、説明を簡単にするために送信振動素子群の振動素子数Ｍ２及び受信振動素子数群の振動素子数Ｍ３を８、整相加算チャンネル数Ｍ４を５、並列同時受信数Ｍを４としているが、これらに限定されるものではない。
【００４９】
即ち、図３に示したコンベックス走査用の超音波プローブ３を用いて任意の隣接した４方向（Ｍ＝４）に対し並列同時受信を行なう場合、素子選択部２２は、超音波プローブ３において凸面状に配列された振動素子３２−１乃至３２−Ｍ１の中から振動素子３２−Ｘ乃至３２−（Ｘ＋７）を送信振動素子群及び受信振動素子群として選択する。
【００５０】
一方、チャンネル選択回路２３３は、振動素子３２−Ｘ乃至３２−（Ｘ＋７）から得られた８チャンネル（Ｍ３＝８）の受信信号を、隣接した振動素子３２−Ｘ乃至３２−（Ｘ＋４）、振動素子３２−（Ｘ＋１）乃至３２−（Ｘ＋５）、振動素子３２−（Ｘ＋２）乃至３２−（Ｘ＋６）、振動素子３２−（Ｘ＋３）乃至３２−（Ｘ＋７）の各５チャンネルの受信信号によって構成される４つ（Ｍ＝４）の受信信号群に束ね、夫々の受信信号群における５チャンネルの受信信号はビームフォーマ２３４−１乃至２３４−Ｍに供給される。
【００５１】
即ち、振動素子３２−Ｘ乃至３２−（Ｘ＋４）の受信信号はビームフォーマ２３４−１に供給され、振動素子３２−（Ｘ＋１）乃至３２−（Ｘ＋５）、振動素子３２−（Ｘ＋２）乃至３２−（Ｘ＋６）、振動素子３２−（Ｘ＋３）乃至３２−（Ｘ＋７）の各受信信号はビームフォーマ２３４−２乃至ビームフォーマ２３４−４に夫々供給される。そして、ビームフォーマ２３４−１乃至２３４−Ｍの各々は、受信遅延／振幅設定部２３５から供給される遅延制御信号及び振幅制御信号に基づき、チャンネル選択回路２３３において選択されたＭ４チャンネルの受信信号に対しダイナミックフォーカスのための遅延時間と信号振幅を与え整相加算処理する。そして、この整相加算処理により４つ（Ｍ＝４）の受信音場が形成される。
【００５２】
以上述べた送受信方法により、振動素子３２―Ｘ乃至３２−（Ｘ＋７）の送信振動素子群によって形成された送信音場の領域に重畳するように４つの受信音場が形成され、４方向の並列同時受信が行なわれる。
【００５３】
この場合の超音波の送信方向及び受信方向は振動素子の配列面に対して略垂直な方向に設定されるが、送信遅延回路２１２あるいはビームフォーマ２３４にて偏向用遅延時間を与えることにより送信方向及び受信方向を任意の方向に設定することも可能である。しかしながら、何れの場合においても、本実施例の並列同時受信では送信音場に重畳して受信音場が形成される。
【００５４】
図１に戻って、送受信部２の基準条件発生部２５は、送信音場及びこの送信音場と略同一の中心軸を有して形成される受信音場を用いて画像データの生成を行なう、所謂、非並列同時受信法における送信時の基準遅延条件及び基準振幅条件と受信時の基準遅延条件及び基準振幅条件を発生する。
【００５５】
図４は、Ｍ２個の振動素子を送信振動素子群及び受信振動素子群として用い、距離Ｆに超音波ビームを収束させる場合の振動素子Ｐｍ（ｍ＝１乃至Ｍ２（Ｍ２＝８））に対する基準遅延条件τｏ（ｍ）を説明するための模式図であり、上述の振動素子Ｐ１乃至ＰＭ２は、図３に示した振動素子３２−Ｘ乃至３２−（Ｘ＋７）に対応している。但し、受信時においてダイナミックフォーカスを行なう場合、基準条件発生部２５は、異なる複数の距離に対し超音波ビームを収束するための基準遅延条件を発生する。
【００５６】
一方、図５は、Ｍ２個（Ｍ２＝８）の振動素子を用いて送信音場を形成する場合の振動素子Ｐｍ（ｍ＝１乃至Ｍ２）に対する送信用の基準振幅条件Ａｏ（ｍ）（図５（ａ））と、この基準振幅条件Ａｏ（ｍ）に基づいた駆動振幅の駆動パルスによって生成された送信音場Ｃｔ０（図５（ｂ））を示す。この場合、基準条件発生部２５は、ｍ番目の振動素子Ｐｍに対する駆動パルスの基準振幅条件Ａｏ（ｍ）を、例えば、図５（ａ）に示すようなｓｉｎｃ関数に基づいて発生する。
【００５７】
そして、このようなｓｉｎｃ関数で示される送信用の基準振幅条件Ａｏ（ｍ）と上述の基準遅延条件τｏ（ｍ）に基づく駆動パルスの駆動により収束領域には、図５（ｂ）に示す矩形状の送信音場Ｃｔ０が生成される。尚、基準振幅条件は、通常、一様分布関数やＨａｍｍｉｎｇ関数等に基づいて生成される。
【００５８】
次に、本実施例において最も重要なユニットである送信条件生成部２６の機能につき図６乃至図７を用いて模式的に説明する。以下では、振動素子の配列方向に−ΔＭ及び＋ΔＭ（例えば、ΔＭ＝１）だけシフトさせた２つの送信用基準遅延条件τｏ（ｍ−ΔＭ）及びτｏ（ｍ＋ΔＭ）と２つの送信用基準振幅条件Ａｏ（ｍ−ΔＭ）及びＡｏ（ｍ＋ΔＭ）を用い、並列同時受信に好適なビーム幅と均一な強度を有する送信音場を形成する送信遅延条件τ（ｍ）及び送信振幅条件Ａ（ｍ）を生成する。
【００５９】
図４に示した送信用の基準遅延条件τｏ（ｍ）と図５に示した送信用の基準振幅条件Ａｏ（ｍ）に基づいた駆動パルスによって形成される送信音場は、通常、並列同時受信が要求する広いビーム幅を得ることができない。このため、図６に示すように送信用の基準遅延条件τｏ（ｍ）及び基準振幅条件Ａｏ（ｍ）に基づく基準駆動パルス群ＰＬ０を振動素子配列方向に−ΔＭだけシフトした第１の駆動パルス群ＰＬ１とΔＭだけシフトした第２の駆動パルス群ＰＬ２を合成して第３の駆動パルス群ＰＬ３を生成する。そして、この第３の駆動パルス群ＰＬ３によって振動素子Ｐｍ（ｍ＝１乃至Ｍ２）を駆動することにより、図７に示す均一な強度と好適なビーム幅を有した送信音場Ｃｔ３が形成される。この送信音場Ｃｔ３は、図５（ｂ）に示した基準駆動パルス群ＰＬ０による送信音場Ｃｔ０を±ΔＭだけシフトさせて合成したものとなる。
【００６０】
即ち、収束領域において第１の駆動パルス群ＰＬ１による送信音場Ｃｔ１と第２の駆動パルス群ＰＬ２による送信音場Ｃｔ２はその端部が重なるようにして送信音場Ｃｔ３が形成される。このとき、第１の駆動パルス群ＰＬ１と第２の駆動パルス群ＰＬ２の中心間隔２ΔＭを好適な値に設定することにより、送信音場Ｃｔ１のビーム幅ＢＷ１あるいは送信音場Ｂｔ２のビーム幅ＢＷ２に対して約２倍のビーム幅ＢＷ３を有し、均一でしかも端部が急峻に減衰した所望の送信音場Ｃｔ３が形成される。
【００６１】
上述の第１の駆動パルス群ＰＬ１と第２の駆動パルス群ＰＬ２の合成による送信音場Ｃｔ３の形成は、特許文献２に記載された技術によって実現可能となるが、既に述べたように、この方法は、送信部２１の回路構成が極めて複雑になるという欠点を有している。
【００６２】
本実施例では、２つの駆動パルス群ＰＬ１及びＰＬ２を合成することによって得られる送信音場Ｃｔ３と略等価な送信音場を単一の駆動パルス群の遅延時間と駆動振幅を制御することによって生成する。以下では、基準条件発生部２５が発生した送信用の基準遅延条件τｏ（ｍ）及び基準振幅条件Ａｏ（ｍ）に基づいて送信条件生成部２６が生成する送信遅延条件τ（ｍ）及び送信振幅条件Ａ（ｍ）の生成方法について述べる。
【００６３】
この場合、基準遅延条件τｏ（ｍ）及び基準振幅条件Ａｏ（ｍ）に基づいた振動素子Ｐｍの基準駆動パルスをＨｏ（ｍ）とすれば、送信条件生成部２６が生成した送信遅延条件τ（ｍ）及び送信振幅条件Ａ（ｍ）に基づく駆動パルスＨ（ｍ）は、次式（４）によって示すことができる。但し、Ｗ（ｔ）及びWｏ（ｔ）は駆動パルスＨ（ｍ）及び基準駆動パルスＨｏ（ｍ）の包絡線関数である。
【数４】
2007068979.tif 000006
【００６４】
ここで、通常は、ΔＭ≪Ｍ２が成立し、又、包絡線関数が駆動パルスの周期（即ち超音波中心周波数の逆数）に対して十分長い場合には下式（５）が近似的に成立する。
【数５】
2007068979.tif 000007
【００６５】
従がって、駆動パルスＨ（ｍ）の送信遅延条件τ（ｍ）及び送信振幅条件Ａ（ｍ）は、基準駆動パルスＨｏ（ｍ）の基準遅延条件τｏ（ｍ）及び基準振幅条件Ａｏ（ｍ）を用い、次式（６）によって示すことができる。
【数６】
2007068979.tif 000008
【００６６】
以上述べたように、上式（６）から得られた送信遅延条件τ（ｍ）と送信振幅条件Ａ（ｍ）に基づく駆動パルスＨ（ｍ）によって振動素子Ｐ１乃至ＰＭ２を駆動することにより、第１の駆動パルス群ＰＬ１及び第２の駆動パルス群ＰＬ２の合成（図６参照）による送信音場（図７参照）と略等価の送信音場を得ることが可能となる。
【００６７】
即ち、送信条件生成部２６は、基準条件発生部２５から供給される送信用の基準遅延条件τｏ（ｍ）及び基準振幅条件Ａｏ（ｍ）を用いた上述の演算から送信遅延条件τ（ｍ）と送信振幅条件Ａ（ｍ）を生成し、この生成結果を送信部２１の送信遅延設定部２１４及び送信振幅設定部２１５に供給する。そして、送信遅延設定部２１４及び送信振幅設定部２１５は、既に述べたようにこれらの送信遅延条件τ（ｍ）と送信振幅条件Ａ（ｍ）に基づいて送信遅延回路２１２における遅延時間と駆動回路２１３における駆動振幅を設定する。
【００６８】
次に図１のデータ生成部４は、上述の受信部２３のビームフォーマ２３４−１乃至２３４−Ｍから出力されたＭチャンネルの受信信号を信号処理してＢモードデータを生成するＢモードデータ生成部４１と、前記受信信号を信号処理してカラードプラデータを生成するカラードプラデータ生成部４２を備えている。
【００６９】
図８に示したデータ生成部４のＢモードデータ生成部４１は、包絡線検波器４１１と対数変換器４１２を備えている。この包絡線検波器４１１は、送受信部２の受信部２３におけるビームフォーマ２３４−１乃至２３４−Ｍから出力されたＭチャンネルの受信信号に対して包絡線検波を行なう。又、対数変換器４１２は、この包絡線検波後の受信信号に対する対数変換処理によって小さな信号振幅を相対的に強調してＭ個の並列同時受信方向に対するＢモードデータを生成する。
【００７０】
一方、データ生成部４のカラードプラデータ生成部４２は、π／２移相器４２１、ミキサ４２２−１及び４２２−２、ＬＰＦ（低域通過フィルタ）４２３−１及び４２３−２を備えており、送受信部２の受信部２３から供給されたＭチャンネルの受信信号に対し直交位相検波を行なって複素信号（Ｉ信号とＱ信号）を生成する。
【００７１】
更に、カラードプラデータ生成部４２は、ドプラ信号記憶部４２４、ＭＴＩフィルタ４２５及び自己相関演算器４２６を備えて、直交位相検波によって得られた複素信号は、ドプラ信号記憶部４２４に保存される。次いで、高域通過用のデジタルフィルタであるＭＴＩフィルタ４２５は、ドプラ信号記憶部４２４に保存された前記複素信号を読み出し、この複素信号に対して臓器の固定反射体あるいは臓器の呼吸性移動や拍動性移動などに起因するドプラ成分（クラッタ成分）の除去を行なう。又、自己相関演算器４２６は、ＭＴＩフィルタ４２５によって抽出されたドプラ信号に対して自己相関値を算出し、更に、この自己相関値に基づいて血流の平均流速値、分散値及びパワー値を算出してＭ個の並列同時受信方向に対するカラードプラデータを生成する。
【００７２】
再び図１に戻って、画像データ生成記憶部５は、データ生成部４においてＭ個のラスタ単位で生成されるＢモードデータ及びカラードプラデータを順次保存して、２次元のＢモード画像データ及びカラードプラ画像データを生成する。
【００７３】
表示部６は、図示しない表示データ生成回路、変換回路及びモニタを備え、表示データ生成回路は、画像データ生成記憶部５において生成されたＢモード画像データやカラードプラ画像データに対し所定の表示形態に対応した走査変換処理を行なって表示データを生成する。次いで、前記変換回路は、この表示データに対してＤ／Ａ変換とテレビフォーマット変換を行ない前記モニタに表示する。
【００７４】
入力部７は、操作パネル上に表示パネルやキーボード、トラックボール、マウス、選択ボタン、入力ボタン等の入力デバイスを備え、患者情報の入力、データ収集条件、表示条件等の設定、更には、種々のコマンド信号の入力等を行なう。特に、本実施例では、送信振動素子群の振動素子数Ｍ２、受信振動素子群の振動素子数Ｍ３、整相加算のチャンネル数Ｍ４、並列同時受信数Ｍ及び送信音場の合成間隔ΔＭの設定、更には基準振幅条件や並列同時受信モード／非並列同時受信モードの選択等を行なう。但し、上述の送信用及び受信用の振動素子数や重み付け条件等は、使用する超音波プローブ３の情報（例えば、プローブＩＤ）と並列同時受信の方向数Ｍの情報に基づいて設定してもよい。
【００７５】
そして、システム制御部８は、図示しないＣＰＵと記憶回路を備え、操作者によって入力部７から入力あるいは設定される上述の各種情報は前記記憶回路に保存される。そして、前記ＣＰＵは、これらの情報に基づいて、送受信部２、データ生成部４、更には画像データ生成記憶部５の制御やシステム全体の制御を統括して行なう。又、システム制御部８は、送受信部２における素子選択制御部２４と受信部２３に対して制御信号を供給し、送信用振動素子によって形成された送信音場内のＭ方向に対して並列同時受信を行なうための制御と、送信用振動素子と受信用振動素子を振動子配列方向に順次シフトして被検体に対しコンベックス走査を行なうための制御を行なう。
【００７６】
（画像データの生成手順）
次に、本実施例の並列同時受信モードにおける画像データの生成手順につき図９のフローチャートに沿って説明する。但し、説明を容易にするために送信振動素子群の振動素子数Ｍ２と受信振動素子群の振動素子数Ｍ３は等しい場合について述べるが、これに限定されない。
【００７７】
超音波診断装置１００の操作者は、先ず、図１の入力部７を介して超音波プローブ３のプローブＩＤや画像データの収集に必要な諸条件を設定し、これらの設定情報を、システム制御部８の図示しない記憶回路に保存する。上記の初期設定条件として、送信振動素子群及び受信振動素子群の振動素子数Ｍ２、整相加算のチャンネル数Ｍ４、並列同時受信数Ｍ、送信音場の合成間隔ΔＭ、更には、基準振幅条件等がある（図９のステップＳ１）。
【００７８】
そして、初期設定が終了したならば、操作者は、入力部７において並列同時受信モードを選択し、次いで、超音波プローブ３の先端（超音波送受信面）を被検体体表面上の所定位置に固定して超音波の送受信を開始する。このとき、システム制御部８は、自己の記憶回路に保存した送信振動素子群及び受信振動素子群の振動素子数Ｍ２の情報を送受信部２の素子選択制御部２４、送信条件生成部２６及び基準条件発生部２５に、整相加算における受信信号群のチャンネル数Ｍ４及び並列同時受信数Ｍの情報を受信部２３のチャンネル選択回路２３３に，送信音場の合成間隔ΔＭを前記送信条件生成部２６に、更には、基準振幅条件に関する選択情報を基準条件発生部２５に夫々供給し、これらの情報を各ユニットの図示しない記憶回路に保存する。
【００７９】
送受信部２の基準条件発生部２５は、システム制御部８から供給された送信振動素子群及び受信振動素子群の振動素子数Ｍ２の情報と基準振幅条件の選択情報に基づき送信用の基準遅延条件τｏ（ｍ）と基準振幅条件Ａｏ（ｍ）を発生し、送信条件生成部２６に供給する（図９のステップＳ２）。
【００８０】
送信条件生成部２６は、基準条件発生部２５から供給された基準遅延条件τｏ（ｍ）及び基準振幅条件Ａｏ（ｍ）と自己の記憶回路に保存された送信音場の合成間隔ΔＭを、例えば、式（６）に代入して送信遅延条件τ（ｍ）と送信振幅条件Ａ（ｍ）を生成する（図９のステップＳ３）。
【００８１】
次いで、この送信遅延条件τ（ｍ）を送信部２１の送信遅延設定部２１４に、又、送信振幅条件Ａ（ｍ）を送信振幅設定部２１５に供給する。そして、送信遅延設定部２１４及び送信振幅設定部２１５は、これらの条件情報に基づいて送信遅延回路２１２における遅延時間と駆動回路２１３における駆動振幅を設定する（図９のステップＳ４）。
【００８２】
一方、受信部２３の受信遅延／振幅設定部２３５は、基準条件発生部２５から供給された受信用の基準遅延条件と基準振幅条件に基づいてビームフォーマ２３４−１乃至２３４−Ｍにおける遅延時間と受信振幅を設定する（図９のステップＳ５）。
【００８３】
次に、最初の方向（ｑ＝１）に対する超音波送受信に際し、素子選択制御部２４は、システム制御部８から供給された送信時及び受信時における振動素子数Ｍ２の情報に基づいて素子選択部２２の図示しないマルチプレクサに対し制御信号を供給し、素子選択部２２は、最初の方向の超音波送受信に用いる振動素子３２−１乃至３２−Ｍ２を選択する（図９のステップＳ６）。
【００８４】
一方、図２のレートパルス発生器２１１は、基準信号発生部１から供給される基準信号を分周することにより超音波パルスの繰り返し周期を決定するレートパルスを生成して送信遅延回路２１２に供給し、Ｍ２チャンネルの送信遅延回路２１２は、送信遅延設定部２１４によって設定された遅延時間を前記レートパルスに与えて駆動回路２１３に供給する。
【００８５】
そして、駆動回路２１３は、送信遅延回路２１２から供給されたレートパルスに同期し、送信振幅設定部２１５によって設定された駆動振幅を有する駆動パルスを生成し、素子選択部２２によって選択された振動素子３２−１乃至３２−Ｍ２に供給して被検体に送信超音波を放射する（図９のステップＳ７）。
【００８６】
振動素子３２−１乃至３２−Ｍ２の駆動によって被検体に放射された送信超音波の一部は、音響インピーダンスの異なる臓器間の境界面あるいは組織にて反射する。又、この超音波が心臓壁や血球などの動きのある反射体で反射する場合、その超音波周波数はドプラ偏移を受ける。
【００８７】
被検体の組織や血球にて反射した超音波反射波（受信超音波）は、既に素子選択部２２において選択されている振動素子３２−１乃至３２−Ｍ２で受信されて電気信号（受信信号）に変換される。更に、この受信信号は、素子選択部２２を介して受信部２３に供給され、受信部２３のプリアンプ２３１にて所定の大きさに増幅された後、Ａ／Ｄ変換器２３２にてデジタル信号に変換される。
【００８８】
デジタル信号に変換されたＭ２チャンネルの受信信号は、チャンネル選択回路２３３に供給され、チャンネル選択回路２３３は、これらＭ２チャンネルの受信信号の中から隣接したＭ４チャンネル（Ｍ４＜Ｍ２）の受信信号群をＭ個選択し、これらＭ個の受信信号群をＭチャンネルのビームフォーマ２３４−１乃至２３４−Ｍに供給する。
【００８９】
即ち、振動素子３２−１乃至３２−Ｍ４によって得られた受信信号はビームフォーマ２３４−１に、振動素子３２−２乃至３２−（Ｍ４＋１）によって得られた受信信号はビームフォーマ２３４−２に夫々供給される。同様にして、振動素子３２−３乃至３２−（Ｍ４＋２）、振動素子３２−４乃至３２−（Ｍ４＋３）・・・によって得られた受信信号はビームフォーマ２３４−３、ビームフォーマ２３４−４・・・に供給される。そして、ビームフォーマ２３４−１乃至２３４−Ｍの各々は、Ｍ４チャンネルの受信信号を整相加算してダイナミックフォーカスを行なう。
【００９０】
ビームフォーマ２３４−１乃至２３４−Ｍにおける整相加算によって得られたＭチャンネルの受信信号は、図８のデータ生成部４におけるＢモードデータ生成部４１に供給され、包絡線検波と対数変換がなされた後、図１の画像データ生成記憶５におけるＢモードデータ記憶領域に保存される。
【００９１】
一方、最初の走査方向に対するカラードプラデータの生成に際し、振動素子３２−１乃至３２−Ｍ２を用いた前記走査方向に対する連続的な超音波送受信によって得られた受信信号からドプラ信号を検出する。
【００９２】
即ち、システム制御部８は素子選択制御部２４を制御し、振動素子３２−１乃至３２−Ｍ２を選択してカラードプラ用の超音波送受信を行なう。そして、得られたＭチャンネルの受信信号を図８のデータ生成部４におけるカラードプラデータ生成部４２に供給し、ミキサ４２２−１、４２２−２及びＬＰＦ４２３−１、４２３−２による直交位相検波に基づいて複素信号を生成する。次いで、この複素信号の実数成分（Ｉ成分）及び虚数成分（Ｑ成分）の各々をドプラ信号記憶部４２４に保存する。同様にして、同一の振動素子群を用いた２回目乃至Ｌ回目の超音波送受信によって得られた受信信号についても複素信号を収集し、ドプラ信号記憶部４２４に保存する。
【００９３】
振動素子３２−１乃至３２−Ｍ２を用いたＬ回の超音波送受信によって得られたＭチャンネルの複素信号の保存が終了したならば、システム制御部８は、ドプラ信号記憶部４２４に保存されているＭチャンネルの複素信号の各々において所定位置（深さ）に対応したＬ個の複素信号成分を順次読み出し、ＭＴＩフィルタ４２５に供給する。そして、ＭＴＩフィルタ４２５は、供給された複素信号成分に対してフィルタ処理を行ない、固定反射体からの反射波に起因するドプラ成分を排除して血流の流れに起因するドプラ成分を抽出する。
【００９４】
次いで、血流ドプラ成分の複素信号が前記ＭＴＩフィルタ４２５から供給された自己相関演算器４２６は、この複素信号を用いて自己相関処理を行ない、更に、自己相関処理結果に基づいて血流の平均速度、分散、パワーなどを算出する。このような演算を、他の位置（深さ）に対しても行ない、算出された血流の平均速度、分散、更にはパワーなどを図１の画像データ生成記憶部５におけるカラードプラデータ記憶領域に保存する。
【００９５】
即ち、画像データ生成記憶部５のＢモードデータ記憶領域及びカラードプラデータ記憶領域には、第１の走査方向に対応したＭ個の並列同時受信方向におけるＢモードデータ及びカラードプラデータが保存される（図９のステップＳ８）。
【００９６】
同様の手順によって、システム制御部８は素子選択制御部２４を制御して、振動素子３２−（Ｍ２＋１）乃至３２−２Ｍ２による第２の方向（ｑ＝２）の超音波送信、振動素子３２−（２Ｍ２＋１）乃至３２−３Ｍ２による第３の方向（ｑ＝３）の超音波送信、・・・を第Ｑの方向（ｑ＝Ｑ）まで繰り返す。そして、夫々の超音波送信における並列同時受信によって得られたＢモードデータとカラードプラデータをデータ記憶部６のＢモードデータ記憶領域及びカラードプラデータ記憶領域に保存する（図９のステップＳ６乃至Ｓ８）。
【００９７】
上述の手順によって、第１の方向乃至第Ｑの方向の各々におけるＭ方向から得られたＢモードデータとカラードプラデータは画像データ生成記憶部５に順次保存され、２次元あるいは３次元のＢモード画像データ及びカラードプラ画像データが生成される。そして、表示部６の表示データ生成回路は、画像データ生成記憶部５において生成されたＢモード画像データ及びカラードプラ画像データに対して所定の表示形態に対応した走査変換等の処理を行なって表示データを生成し、この表示データは、変換回路においてＤ／Ａ変換とテレビフォーマット変換が行われモニタに表示される（図９のステップＳ９）。
【００９８】
以上述べた第１の実施例によれば、コンベックス走査用超音波プローブを用い被検体の診断対象部位に対して並列同時受信を行なう際に、並列同時受信における送受信音場のビーム曲りあるいは各並列受信方向における送受信感度の不均一性の低減が比較的簡単な回路構成で実現可能となる。
【００９９】
更に、上述の実施例では、Ｓｉｎｃ関数をベースとした基準振幅条件を用いることにより、均一性に優れしかも端部においては急峻な減衰特性を有した送信音場を得ることができる。従がって、並列同時受信が行なわれる領域以外に放射される送信超音波は微小となるため送信エネルギーを有効に用いることができ、サイドローブや多重反射によるアーチファクトが低減され感度に優れた各種画像データを生成することが可能となる。
【０１００】
即ち、上述の実施例によれば、広い領域で均一な送信音場を形成することができるため並列同時受信方向数を増やすことが可能となり、優れた時間分解能や空間分解能あるいは検出能を有した画像データを生成することができる。又、送信音場を形成する送信部は簡単な回路構成によって実現できるため、コストパフォーマンスに優れた超音波診断装置及び超音波送信方法を提供することが可能となる。
【実施例２】
【０１０１】
次に、本発明の第２の実施例について説明する。この第２の実施例では、直線状に振動素子が１次元配列されたセクタ走査用の超音波プローブを用いて並列同時受信を行なう際に、隣接した複数個の振動素子で構成された送信振動素子群に対する駆動パルスの遅延時間と駆動振幅を制御することにより、方位方向において均一かつ好適なビーム幅を有する送信音場を形成する。
【０１０２】
この場合も、上述の第１の実施例と同様にして送信振動素子群の各振動素子に対する駆動パルスの遅延時間及び駆動振幅を決定する送信条件（送信遅延条件及び送信振幅条件）は、前記送信振動素子群を用いて非並列同時受信を行なう際の基準送信条件（基準遅延条件及び基準振幅条件）に基づいて設定される。
【０１０３】
（装置の構成）
本発明の第２の実施例における超音波診断装置と上述の第１の実施例における超音波診断装置は特に超音波プローブと送受信部の構成において差異がある。本実施例における超音波診断装置の構成と基本動作につき図１０乃至図１２を用いて説明する。
【０１０４】
図１０は、本実施例における超音波診断装置の全体構成を示すブロック図であり、図１１は、この超音波診断装置を構成する送受信部の構成を示すブロック図である。尚、図１０に示す本実施例の超音波診断装置において、上述の第１の実施例の超音波診断装置のユニットと同一の構成及び機能を有するユニットは同一の符号を付加し、詳細な説明は省略する。
【０１０５】
図１０に示す本実施例の超音波診断装置２００は、Ｍ０個の振動素子が直線状に配列され被検体に対して超音波送受信を行なうセクタ走査用の超音波プローブ３ａと、前記振動素子に対して駆動信号を供給すると共に、これらの振動素子から得られた受信信号を整相加算する送受信部２ａを備え、更に、第１の実施例の超音波診断装置１００の場合と同様の構成と機能を有するデータ生成部４、画像データ生成部５、表示部６及び基準信号発生部１と、被検体情報や装置の初期設定等を行なう入力部７ａと、超音波診断装置２００における上述の各ユニットを統括的に制御するシステム制御部８ａを備えている。
【０１０６】
図１１の送受信部２ａは、セクタ走査用の超音波プローブ３ａが有する複数個（Ｍ０個）の振動素子に対し駆動信号を供給する送信部２１ａと、前記振動素子から得られた受信信号に対して整相加算する受信部２３を備え、更に、非並列同時受信における送信用の基準遅延条件及び基準振幅条件を基準条件として発生する基準条件発生部２５ａと、この基準条件発生部２５ａが発生する基準遅延条件及び基準振幅条件に基づいた並列同時受信用の送信遅延条件及び送信振幅条件を送信条件として生成する送信条件生成部２６ａを備えている。
【０１０７】
そして、送信部２１ａは、レートパルス発生器２１１と、送信遅延回路２１２ａと、駆動回路２１３ａと、送信遅延設定部２１４ａと、送信振幅設定部２１５ａを備えている。
【０１０８】
レートパルス発生器２１１は、基準信号発生部１から供給される連続波を分周することによって送信超音波の繰り返し周期を決定するレートパルスを生成し、Ｍ０チャンネルで構成される送信遅延回路２１２aは、送信遅延設定部２１４ａから供給される遅延制御信号に基づき、所定の遅延時間を前記レートパルスに与える。又、Ｍ０チャンネルで構成される駆動回路２１３ａは、送信振幅設定部２１５ａから供給される振幅制御信号に基づき、送信遅延回路２１２ａにおいて所定の遅延時間が与えられたレートパルスに同期して所定振幅の駆動パルスを生成する。
【０１０９】
一方、送信遅延設定部２１４ａは、送信条件生成部２６ａが生成した送信遅延条件に基づいて、送信遅延回路２１２ａにおける遅延時間を設定する、同様にして、送信振幅設定部２１５ａは、送信条件生成部２６ａが生成した送信振幅条件に基づいて、駆動回路２１３ａにおける駆動振幅を設定する。
【０１１０】
次に、送受信部２ａの基準条件発生部２５ａは、送信方向θ１乃至送信方向θＰの所定距離に超音波を収束して形成された送信音場及びこれらの送信音場の中心軸と略同一の中心軸を有して形成された受信音場を用いて画像データの生成を行なう、所謂、非並列同時受信時の送信方向θｐに対する基準遅延条件τｐｏ（ｍ）及び基準振幅条件Ａｏ（ｍ）を発生する。
【０１１１】
次に、送信条件生成部２６ａにおける送信遅延条件及び送信振幅条件の生成方法につき図１２を用いて説明する。但し、以下では、セクタ走査の送信方向θｐに対して超音波を送信する際に送信条件生成部２６ａが生成する送信遅延条件τｐ（ｍ）及び送信振幅条件Ａｐ（ｍ）について述べる。
【０１１２】
送信条件生成部２６ａは、図１２に示すように送信方向θｐに超音波を送信するための基準遅延条件τｐｏ（ｍ）（図１２の（ａ））及び基準振幅条件Ａｏ（ｍ）を有する基準駆動パルスＨｐｏ（ｍ，０）に基づき、送信方向θｐ−Δθに超音波を送信するための第１の駆動パルスＨｐｏ（ｍ，−Δθ）と送信方向θｐ＋Δθに超音波を送信するための第２の駆動パルスＨｐｏ（ｍ，Δθ）を生成し、これらを合成して並列同時受信用の駆動パルスＨｐ（ｍ）を得る。
【０１１３】
この場合、第１の駆動パルスＨｐｏ（ｍ，−Δθ）は、基準振幅条件Ａｏ（ｍ）と第１の遅延条件τｐｏ（ｍ）＋Δτ（−ｍΔθ）（図１２の（ｂ））を有し、第２の駆動パルスＨｐｏ（ｍ，Δθ）は、基準振幅条件Ａｏ（ｍ）と第２の遅延条件τｐｏ（ｍ）＋Δτ（ｍΔθ）（図１２の（ｃ））を有している。但し、Δτ（−ｍΔθ）及びΔτ（ｍΔθ）は、−Δθ方向及びΔθ方向に対し送信超音波を偏向させるための遅延条件に対応している。
【０１１４】
そして、第１の駆動パルスＨｐｏ（ｍ，−Δθ）と第２の駆動パルスＨｐｏ（ｍ，Δθ）の合成によって得られた送信遅延時間τｐ（ｍ）（図１２の（ｄ））を有する駆動パルスＨｐ（ｍ）を用いてＭ０個の振動素子Ｐ１乃至ＰＭ０を駆動することにより、θｐ方向に対して均一な送信強度と好適なビーム幅を有した送信音場が形成される。
【０１１５】
以下では、方向θｐに対し送信指向性を設定するための基準遅延条件τｐｏ（ｍ）と基準振幅条件Ａｏ（ｍ）に基づいて、並列同時受信に好適なビーム幅と均一な強度の送信音場を形成する送信遅延条件τｐ（ｍ）及び送信振幅条件Ａｐ（ｍ）を生成する場合について述べる。
【０１１６】
この場合、基準遅延条件τｐｏ（ｍ）及び基準振幅条件Ａｏ（ｍ）に基づく振動素子Ｐｍの基準駆動パルスをＨｐｏ（ｍ，０）とすれば、送信条件生成部２６によってその送信条件が生成される駆動パルスＨｐ（ｍ）は、次式（７）によって示すことができる。
【数７】
2007068979.tif 000009
【０１１７】
但し、Ｗｐ（ｔ）及びWｏ（ｔ）は駆動パルスＨｐ（ｍ）及び基準駆動パルスＨｐｏ（ｍ，０）の包絡線関数である。又、Ｈｐｏ（ｍ，−Δθ）及びＨｐｏ（ｍ，Δθ）は、θｐ−Δθ方向及びθｐ＋Δθ方向に対する超音波の送信を可能にする第１の駆動パルス及び第２の駆動パルスであり、これらの駆動パルスの遅延条件は、上述の基準遅延条件τｐ（ｍ）に対し−Δτ（ｍΔθ）及びΔτ（ｍΔθ）の遅延条件が加算されて生成される。ここで、包絡線関数が駆動パルスの周期（即ち超音波中心周波数の逆数）に対して十分長い場合には下式（８）が近似的に成立する。
【数８】
2007068979.tif 000010
【０１１８】
従がって、駆動パルスＨｐ（ｍ）の送信遅延条件τｐ（ｍ）及び送信振幅条件Ａｐ（ｍ）は、基準駆動パルスＨｐｏ（ｍ，０）の基準遅延条件τｐｏ（ｍ）及び基準振幅条件Ａｏ（ｍ）を用い、次式（９）によって示すことができる。
【数９】
2007068979.tif 000011
【０１１９】
以上述べたように、上式（９）から生成された送信遅延条件τｐ（ｍ）と送信振幅条件Ａｐ（ｍ）に基づく駆動パルスＨｐ（ｍ）を用いて振動素子Ｐ１乃至ＰＭ０を駆動することにより、図７に示した送信音場と略等価の送信音場を得ることが可能となる。但し、本実施例では、図７の方位方向（Ｘ）を角度θ、ΔＭをΔθに置き換える。
【０１２０】
即ち、送信条件生成部２６ａは、基準条件発生部２５ａから供給される送信用の基準遅延条件τｐｏ（ｍ）及び基準振幅条件Ａｏ（ｍ）を用いた上述の演算から送信遅延条件τｐ（ｍ）と送信振幅条件Ａｐ（ｍ）を生成し、この結果を送信部２１ａの送信遅延設定部２１４ａ及び送信振幅設定部２１５ａに供給する。そして、送信遅延設定部２１４ａ及び送信振幅設定部２１５ａは、送信遅延条件τｐ（ｍ）及び送信振幅条件Ａｐ（ｍ）に基づいて送信遅延回路２１２ａにおける遅延時間と駆動回路２１３ａにおける駆動振幅を設定する。
【０１２１】
次に、図１０のデータ生成部４におけるＢモードデータ生成部４１は、受信部２３のビームフォーマ２３４−１乃至２３４−Ｍから出力されたＭチャンネルの受信信号を信号処理してＢモードデータを生成し、カラードプラデータ生成部４２は、前記受信信号を信号処理してカラードプラデータを生成する。又、画像データ生成５は、データ生成部４において生成されるＢモードデータ及びカラードプラデータを順次保存して、２次元のＢモード画像データ及びカラードプラ画像データを生成する。
【０１２２】
表示部６は、画像データ生成記憶部５において生成されたＢモード画像データやカラードプラ画像データに対し所定の表示形態に対応した走査変換処理を行ない、更に、Ｄ／Ａ変換とテレビフォーマット変換を行なってモニタに表示する。
【０１２３】
一方、入力部７ａは、操作パネル上に表示パネルやキーボード、トラックボール、マウス、選択ボタン、入力ボタン等の入力デバイスを備え、患者情報の入力、データ収集条件、表示条件等の設定、更には、種々のコマンド信号の入力等を行なう。特に、本実施例では、整相加算のチャンネル数Ｍ４、並列同時受信数Ｍ、送信超音波の偏向角度−Δθ及びΔθの設定、更には基準振幅条件や並列同時受信モード／非並列同時受信モードの選択等を行なう。
【０１２４】
システム制御部８ａは、送受信部２ａ、データ生成部４、更には画像データ生成記憶部５の制御やシステム全体の制御を統括して行なう。又、システム制御部８ａは、送受信部２ａにおける受信部２３に対して制御信号を供給し、送信音場内のＭ方向に対して並列同時受信を行なうための制御と、被検体に対するセクタ走査の制御を行なう。
【０１２５】
（画像データの生成手順）
次に、本実施例の並列同時受信モードにおける画像データの生成手順につき図１３のフローチャートに沿って説明する。但し、説明を容易にするために送信振動素子群の振動素子数と受信振動素子群の振動素子数は何れもＭ０の場合について述べるが、これに限定されない。又、以下では、Ｂモード画像データを生成する場合について述べるが、第１の実施例と同様の手順によりカラードプラ画像データ等の画像データを生成することも可能である。
【０１２６】
超音波診断装置２００の操作者は、先ず、図１０の入力部７aにおいて超音波プローブ３aのプローブＩＤや画像データの収集に必要な諸条件を設定し、これらの設定情報を、システム制御部８ａの図示しない記憶回路に保存する。上記の初期設定条件として、整相加算のチャンネル数Ｍ４、並列同時受信数Ｍ、送信超音波の偏向角−Δθ及びΔθ、更には、基準振幅条件等がある（図１３のステップＳ１１）。
【０１２７】
そして、初期設定が終了したならば、操作者は、並列同時受信モードを選択し、次いで、超音波プローブ３ａの先端（超音波送受信面）を被検体体表面上の所定位置に固定して超音波の送受信を開始する。このとき、システム制御部８ａは、自己の記憶回路に一旦保存した送信超音波の偏向角−Δθ及びΔθの情報を送信条件生成部２６ａへ、又、基準振幅条件の情報を基準条件発生部２５ａへ夫々供給し、これらの情報を各ユニットの図示しない記憶回路に保存する。
【０１２８】
送受信部２ａの基準条件発生部２５ａは、システム制御部８ａから供給された送信振動素子群及び受信振動素子群の振動素子数Ｍ０の情報と基準振幅条件の選択情報と最初の送信方向θ１（ｐ＝１）の情報に基づき送信用の基準遅延条件τ１ｏ（ｍ）と基準振幅条件Ａｏ（ｍ）を発生し、送信条件生成部２６ａへ供給する（図１３のステップＳ１２）。
【０１２９】
送信条件生成部２６ａは、基準条件発生部２５ａから供給された基準遅延条件τ１ｏ（ｍ）及び基準振幅条件Ａｏ（ｍ）と自己の記憶回路に保存された送信超音波の偏向角−Δθ及びΔθを、例えば、式（９）に代入して送信遅延条件τ１（ｍ）と送信振幅条件Ａ１（ｍ）を生成する（図１３のステップＳ１３）。
【０１３０】
次いで、この送信遅延条件τ１（ｍ）を送信遅延設定部２１４ａに、又、送信振幅条件Ａ１（ｍ）を送信振幅設定部２１５ａに供給する。そして、送信遅延設定部２１４ａ及び送信振幅設定部２１５ａは、これらの条件情報に基づいて送信遅延回路２１２ａにおける遅延時間と駆動回路２１３ａにおける駆動振幅を設定する（図１３のステップＳ１４）。
【０１３１】
一方、受信部２３の受信遅延／振幅設定部２３５は、基準条件発生部２５ａから供給された受信用の基準遅延条件と基準振幅条件に基づいてビームフォーマ２３４−１乃至２３４−Ｍにおける遅延時間と受信振幅を設定する（図１３のステップＳ１５）。
【０１３２】
最初の送信方向θ１に対する超音波送信に際し、図１１のレートパルス発生器２１１は、基準信号発生部１から供給された基準信号を分周することにより駆動パルスの繰り返し周期を決定するレートパルスを生成して送信遅延回路２１２ａに供給し、Ｍ０チャンネルの送信遅延回路２１２ａは、送信遅延設定部２１４ａによって設定された遅延時間を前記レートパルスに与えて駆動回路２１３ａに供給する。
【０１３３】
そして、駆動回路２１３ａは、送信遅延回路２１２ａから供給されたレートパルスに同期し、送信振幅設定部２１５ａによって設定された駆動振幅を有する駆動パルスを生成し、超音波プローブ３ａの振動素子Ｐ１乃至ＰＭ０に供給して被検体に送信超音波を放射する（図１３のステップＳ１６）。
【０１３４】
振動素子Ｐ１乃至ＰＭ０の駆動によって被検体のθ１方向に放射された送信超音波の一部は、音響インピーダンスの異なる臓器間の境界面あるいは組織にて反射する。又、この超音波が心臓壁や血球などの動きのある反射体で反射する場合、その超音波周波数はドプラ偏移を受ける。
【０１３５】
被検体の組織や血球にて反射した超音波反射波（受信超音波）は、振動素子Ｐ１乃至ＰＭ０で受信されて電気信号（受信信号）に変換されて受信部２３に供給され、受信部２３のプリアンプ２３１にて所定の大きさに増幅された前記受信信号は、Ａ／Ｄ変換器２３２にてデジタル信号に変換される。
【０１３６】
デジタル信号に変換されたＭ０チャンネルの受信信号は、チャンネル選択回路２３３に供給され、チャンネル選択回路２３３は、これらＭ０チャンネルの受信信号の中から隣接したＭ４チャンネル（Ｍ４＜Ｍ０）の受信信号群をＭ個選択し、これらＭ個の受信信号群をＭチャンネルのビームフォーマ２３４−１乃至２３４−Ｍに供給する。そして、ビームフォーマ２３４−１乃至２３４−Ｍの各々は、Ｍ４チャンネルの受信信号を整相加算してダイナミックフォーカスを行なう。
【０１３７】
ビームフォーマ２３４−１乃至２３４−Ｍにおける整相加算によって得られたＭチャンネルの受信信号は、図１０のデータ生成部４におけるＢモードデータ生成部４１に供給され、包絡線検波と対数変換がなされた後、画像データ生成記憶５のＢモードデータ記憶領域に送信方向θ１のＢモードデータとして保存される（図１３のステップＳ１７）。
【０１３８】
次に、システム制御部８ａは送受信部２ａの基準条件発生部２５ａ及び送信条件生成部２６ａを制御し、基準条件発生部２５ａは、上述の送信方向θ１に隣接した送信方向θ２（ｐ＝２）に超音波を送信するための基準遅延条件τ２ｏ（ｍ）と基準振幅条件Ａｏ（ｍ）を発生し（図１３のステップＳ１２）、送信条件生成部２６ａは、これらの基礎条件に基づいて送信方向θ２に対する送信遅延条件τ２（ｍ）と送信振幅条件Ａ２（ｍ）を生成する（図１３のステップＳ１３）。
【０１３９】
そして、送信遅延設定部２１４ａ及び送信振幅設定部２１５ａは、これらの送信条件に基づいて送信遅延回路２１２ａにおける遅延時間と駆動回路２１３ａにおける駆動振幅を設定し（図１３のステップＳ１４）、駆動回路２１３ａは、送信遅延回路２１２ａにおいて所定時間遅延したレートパルスに同期して前記駆動振幅の駆動パルスを生成し、振動素子Ｐ１乃至ＰＭ０を駆動して被検体のθ２方向に送信超音波を放射する（図１３のステップＳ１６）。
【０１４０】
次いで、受信部２３は、この送信超音波に基づく受信超音波を並列同時受信し、データ生成部４はこのとき得られた受信信号を処理して送信方向θ２方向に対するＢモードデータを生成し画像データ生成部５のＢモードデータ記憶領域に保存する（図１３のステップＳ１７）。
【０１４１】
以下同様の手順によって送信方向θｐ（ｐ＝３乃至Ｐ）に対しても超音波の送受信を行ない、得られたＢモードデータは画像データ生成部５のＢモードデータ記憶領域に保存されて２次元あるいは３次元のＢモード画像データが生成される。そして、生成されたＢモード画像データは所定の走査変換等の処理が行なわれ表示部６のモニタに表示される（図１３のステップＳ１８）。
【０１４２】
以上述べた実施例によれば、セクタ走査用超音波プローブを用い被検体の診断対象部位に対して並列同時受信を行なう際に、並列同時受信における送受信音場のビーム曲りあるいは各並列受信方向における送受信感度の不均一性の低減が簡単な回路構成で実現可能となる。
【０１４３】
更に、上述の実施例では、Ｓｉｍｃ関数をベースとした基準振幅条件を用いることにより、均一性に優れしかも端部においては急峻な減衰特性を有した送信音場を得ることができる。従がって、並列同時受信が行なわれる領域以外に放射される送信超音波は微小となるため送信エネルギーを有効に用いることができ、サイドローブや多重反射によるアーチファクトが低減され感度に優れた各種画像データを生成することが可能となる。
【０１４４】
即ち、上述の実施例によれば、広い領域で均一な送信音場を形成することができるため並列同時受信方向数を増やすことが可能となり、優れた時間分解能や空間分解能あるいは検出能を有した画像データを生成することができる。又、送信音場を形成する送信部は簡単な回路構成によって実現できるため、コストパフォーマンスに優れた超音波診断装置及び超音波送信方法を提供することが可能となる。
【０１４５】
以上、本発明の実施例について述べてきたが、本発明は上記の実施例に限定されるものではなく、変形して実施することが可能である。例えば、上述の実施例では２つの駆動パルス群を合成することによって得られる送信音場と略等価な送信音場を単一の駆動パルス群の遅延時間及び駆動振幅を制御することによって形成する場合について述べたが、送信条件生成部２６あるいは送信条件生成部２６ａは、３つ以上の駆動パルス群を合成して得られる送信音場と略等価な送信音場を得るための送信遅延条件及び送信振幅条件を生成してもよい。
【０１４６】
例えば、４つの駆動パルス群ＰＬ１乃至ＰＬ４を２ΔＭ間隔で合成して得られる送信音場と等価な送信音場を得るための遅延時間τａ（ｍ）及び駆動振幅Ａａ（ｍ）は、次式（１０）によって得ることができる。
【数１０】
2007068979.tif 000012
【０１４７】
一方、上述の実施例における送信信号群の振幅分布はＳｉｎｃ関数としたが、他の振幅分布であってもよい。例えば、Ｓｉｎｃ関数にハミングの窓関数を乗算することにより振幅分布の端部における不連続の影響を低減することができるため、更に良好な送信音場を形成することができる。
【０１４８】
更に、上述の実施例では、振動素子を１次元に配列した超音波プローブ３あるいは超音波プローブ３ａについて述べたが２次元配列された超音波プローブであってもよい。又、超音波走査法はコンベックス走査法やセクタ走査法に限定されるものではなく、リニア走査法、ラジアル走査法等の他の走査法であっても構わない。
【０１４９】
又、上述の実施例における基準条件発生部２５あるいは基準条件発生部２５ａは基準遅延条件及び基準振幅条件を発生し、送信条件生成部２６あるいは送信条件生成部２６ａは送信遅延条件及び送信振幅条件を生成する場合について述べたが、基準条件発生部２５あるいは基準条件発生部２５ａは基準遅延条件及び基準振幅条件の少なくとも何れかを基準送信条件として発生し、送信条件生成部２６あるいは送信条件生成部２６ａは、送信遅延条件及び送信振幅条件の少なくとも何れかを送信条件として生成してもよい。
【図面の簡単な説明】
【０１５０】
【図１】本発明の第１の実施例における超音波診断装置の全体構成を示すブロック図。
【図２】同実施例における送受信部の構成を示すブロック図。
【図３】同実施例の並列同時受信における送信用振動素子群及び受信用振動素子群の選択方法を模式的に示す図。
【図４】同実施例の振動素子に対する送信用の基準遅延条件を模式的に示す図。
【図５】同実施例の送信振動素子に対する送信用の基準振幅条件と、この基準振幅条件に基づく駆動パルスによって生成される送信音場を示す図。
【図６】同実施例における送信遅延／振幅条件の生成方法を説明するための図。
【図７】同実施例によって形成される送信音場を説明するための図。
【図８】同実施例におけるデータ生成部の構成を示すブロック図。
【図９】同実施例における画像データの生成手順をしめすフローチャート。
【図１０】本発明の第２の実施例における超音波診断装置の全体構成を示すブロック図。
【図１１】同実施例における送受信部の構成を示すブロック図。
【図１２】同実施例における送信条件生成部の機能を模式的に説明するための図。
【図１３】同実施例における画像データの生成手順をしめすフローチャート。
【図１４】従来の並列同時受信における送受信音場のビーム曲がりを説明するための図。
【図１５】従来の並列同時受信における送受信感度の不均一を説明するための図。
【符号の説明】
【０１５１】
１…基準信号発生部
２、２ａ…送受信部
３、３ａ…超音波プローブ
４…データ生成部
５…画像データ生成部
６…表示部
７、７ａ…入力部
８、８ａ…システム制御部
２１、２１ａ…送信部
２２…素子選択部
２３…受信部
２４…素子選択制御部
２５、２５ａ…基準条件発生部
２６、２６ａ…送信条件生成部
４１…Ｂモードデータ生成部
４２…カラードプラデータ生成部GENERATION UNIT
１００、２００…超音波診断装置
２１１…レートパルス発生器
２１２、２１２ａ…送信遅延回路
２１３、２１３ａ…駆動回路
２１４、２１４ａ…送信遅延設定部
２１５、２１５ａ…送信振幅設定部
２３１…プリアンプ
２３２…Ａ／Ｄ変換器
２３３…チャンネル選択回路
２３４…ビームフォーマ
２３５…受信遅延／振幅設定部
４１１…包絡線検波器
４１２…対数変換器
４２１…Π／２移相器
４２２…ミキサ
４２３…ＬＰＦ（低域通過フィルタ）
４２４…ドプラ信号記憶部
４２５…ＭＴＩフィルタ
４２６…自己相関演算器
【図１】
2007068979.tif 000013
【図２】
2007068979.tif 000014
【図３】
2007068979.tif 000015
【図４】
2007068979.tif 000016
【図５】
2007068979.tif 000017
【図６】
2007068979.tif 000018
【図７】
2007068979.tif 000019
【図８】
2007068979.tif 000020
【図９】
2007068979.tif 000021
【図１０】
2007068979.tif 000022
【図１１】
2007068979.tif 000023
【図１２】
2007068979.tif 000024
【図１３】
2007068979.tif 000025
【図１４】
2007068979.tif 000026
【図１５】
2007068979.tif 000027